(57)【要約】【課題】２つのドア体を故意に全開することをドアガードで防止できる両開きドアとする。【解決手段】一方のドア体２にアーム部材１０を取付けると共に、他方のドア体３にアーム受け部材２０を取付けてドアガード５とし、前記一方のドア体２と他方とドア体３が閉じ状態から開き状態への初期段階においてアーム部材１０とアーム受け部材２０が係合して面内方向に外れないようにすることで、２つのドア体２，３が前述の初期段階以上開くことができなくなって故意に全開できないようにできる。【選択図】図６
2009221694.tif 000002
【特許請求の範囲】
【請求項１】
枠体に２つのドア体を開閉自在に取付け、その２つのドア体に亘ってドアガードを取付けた両開きドアにおいて、
前記ドアガードは、一方のドア体に取付けたアーム部材と他方のドア体に取付けたアーム受け部材を備え、
前記アーム部材とアーム受け部材は、２つのドア体が閉じ状態から開き状態への初期段階において相互に係合して面内方向に外れないようにしてあることを特徴とする両開きドア。
【請求項２】
アーム部材に外れ止め部を設け、この外れ止め部に、アーム受け部材の一部分が係合して面内方向に外れないようにした請求項１記載の両開きドア。
【請求項３】
取付部と、この取付部に回動自在に取付けられ長手方向に向かうと共に、幅広い基端部分と幅狭い他の部分を有した長溝を備えたアームでアーム部材とし、
取付部と、この取付部に設けられ前記長溝に沿って摺動するガイド部と、このガイド部の先端部に設けられ長溝の他の部分から抜けない鍔部でアーム受け部材とし、
前記取付部に外れ止め部を設けると共に、前記鍔部が外れ止め部に係合するようにした請求項２記載の両開きドア。
【請求項４】
アーム部材の取付部に、外れ止め部を備えた外れ止め部品を取付けた請求項３記載の両開きドア。
【発明の詳細な説明】
【技術分野】
【０００１】
本発明は、親子ドアなどの両開きドアに関する。
【背景技術】
【０００２】
従来から両開きドアは種々提案されている。
例えば、特許文献１に開示されたように、枠体に２つのドア体を開閉自在に取付け、一方のドア体を通常開かないようにする固定錠を設けると共に、他方のドア体の開きを規制するドアガードを一方のドア体と他方のドア体とに亘って取付けた両開きドアが提案されている。
【０００３】
前述したようにドア体の開きを規制するドアガードとしては、例えば特許文献２に開示されたドアガードが提案されている。
このドアガードは、ドア体に取付けたフックと、建物本体に取付けたアームを備え、このアームをフックに嵌まり合う規制姿勢と、フックから離脱した規制解除姿勢とに回動自在とし、そのアームを規制姿勢としてフックに嵌まり合う状態で、ドア体を開放するとフックがアームに沿って摺動し、ドア体が所定の開き角度となるとフックがアームに接して、それ以上ドア体が開放しないようにしてドア体の開きを規制する。
【特許文献１】特許第３０１５２９２号公報
【特許文献２】実開平３−８９８６７号公報
【発明の開示】
【発明が解決しようとする課題】
【０００４】
前述した従来の両開きドアにあっては、他方のドアをドアガードで規制された開き位置まで開放した状態で、室外の人が固定錠を解錠操作できることがある。
前述した従来のドアガードは、そのアームが長Ｕ字形状でフックの頭部が外れないように摺動自在に嵌まり合うようにしてあるが、そのアームを規制位置と規制解除位置に回動可能にするために、そのアームの基端部はフックの頭部が出入できるようにしてある。
【０００５】
このようであるから、前述のドアガードを前述した両開きドアに用いた場合に、前述のように他方のドア体をドアガードで規制された開き位置まで開放した状態で、室外の人が固定錠を解錠操作して一方のドア体を開放できるようにし、両方のドア体を開放するとドアガードのフックとアームが外れ、両方のドア体を故意に全開でき、防犯上好ましくない。
【０００６】
前述した従来の両開きドアにおいては、固定錠に解錠防止手段を設け、その固定錠を外部から素手で解錠できないようにすることで、両方のドア体を故意に全開できないようにしている。
しかし、このようにすると固定錠が解錠防止手段を備えた特殊なものであるから、一般的な固定錠を用いた両開きドアと比較して高価である。
しかも、固定錠による施錠を操作し忘れた場合には、前述のようにして両方のドア体を故意に全開することを防止できない。
【０００７】
本発明の目的は、２つのドア体を故意に全開することをドアガードで防止できるようにした両開きドアとすることである。
【課題を解決するための手段】
【０００８】
本発明は、枠体に２つのドア体を開閉自在に取付け、その２つのドア体に亘ってドアガードを取付けた両開きドアにおいて、
前記ドアガードは、一方のドア体に取付けたアーム部材と他方のドア体に取付けたアーム受け部材を備え、
前記アーム部材とアーム受け部材は、２つのドア体が閉じ状態から開き状態への初期段階において相互に係合して面内方向に外れないようにしてあることを特徴とする両開きドアである。
【０００９】
本発明においては、アーム部材に外れ止め部を設け、この外れ止め部に、アーム受け部材の一部分が係合して面内方向に外れないようにすることができる。
このようにすれば、２つのドア体が閉じ状態から開き状態への初期段階においてアーム部材の外れ止め部にアーム部材の一部分が係合して面内方向に外れないようにできる。
【００１０】
本発明においては、取付部と、この取付部に回動自在に取付けられ長手方向に向かうと共に、幅広い基端部分と幅狭い他の部分を有した長溝を備えたアームでアーム部材とし、
取付部と、この取付部に設けられ前記長溝に沿って摺動するガイド部と、このガイド部の先端部に設けられ長溝の他の部分から抜けない鍔部でアーム受け部材とし、
前記取付部に外れ止め部を設けると共に、前記鍔部が外れ止め部に係合するようにできる。
このようにすれば、２つのドア体が閉じ状態から開き状態への初期段階において、アーム部材の取付部に設けた外れ止め部と、アーム受け部材の鍔部が係合して面内方向に外れないようにするので、２つのドア体が前述の初期段階以上開くことをしっかりと防止できる。
また、アーム受け部材の鍔部を外れ止め部に係合しているので、アーム受け部材に外れ止め部を係合する特別な部品等を取付ける必要がない。
【００１１】
本発明においては、アーム部材の取付部に、外れ止め部を備えた外れ止め部品を取付けるようにできる。
このようにすれば、既存のドアガードを利用することができるし、ドア体に取付けてある既存のドアガードを面内方向に外れないように改良することが可能である。
【発明の効果】
【００１２】
本発明によれば、２つのドア体が閉じ状態から開き状態への初期段階において、アーム部材とアーム受け部材が相互に係合して面内方向に外れないようになるので、２つのドア体を前述の初期段階以上開くことができない。
したがって、２つのドア体を故意に全開することをドアガードで防止できる。
【発明を実施するための最良の形態】
【００１３】
図１に示すように、枠体１に２つのドア体２，３を開閉自在に取付けて両開きドアとしてある。
この実施の形態では一方のドア体２が幅広く親ドア体で、他方のドア体３が幅狭く子ドア体であり、親子ドアとしてあるが、２つのドア体２，３が同じ幅であっても良い。
前記他方のドア体３は固定錠４で通常開かないように施錠され、大きな荷物を出し入れする際などに固定錠４を解錠して他方のドア体３を開放する。
前記一方のドア体２と他方のドア体３とに亘って一方のドア体２の開きを規制するドアガード５が取付けてある。
このドアガード５は、一方のドア体２に取付けたアーム部材１０と、他方のドア体３に取付けたアーム受け部材２０を備えている。
【００１４】
次に、ドアガード５について図２〜図６に基づいて説明する。
前記アーム部材１０は取付部１１とアーム１２を備え、その取付部１１が一方のドア体２に固着具１３で固着して取付けられ、その取付部１１にアーム１２の基端部が回動自在に取付けてある。
このアーム１２は、その長手方向に連続した長溝１４を有し、その長溝１４の基端部寄りの基端部分１４ａの幅（上下寸法）が、他の部分１４ｂの幅（上下寸法）よりも大きい。
【００１５】
前記アーム受け部材２０は取付部２１と、この取付部２１に設けたガイド部２２と、このガイド部２２の先端部に設けた鍔部２３を備え、ガイド部２２と鍔部２３がアーム受けである。
前記ガイド部２２は、アーム１２の長溝１４における他の部分１４ｂの幅よりも小さく、このガイド部２２と長溝１４は嵌まり合った状態で相対的に長手方向に摺動（スライド）可能である。
前記鍔部２３は、アーム１２の長溝１４における他の部分１４ｂの幅よりも大きく、かつ基端部分１４ａの幅よりも小さい。
そして、前記取付部２１が他方のドア体３に固着具２４で固着して取付けられ、２つのドア体２，３を閉じた状態で、前記ガイド部２２、鍔部２３がアーム１２の長溝１４における基端部分１４ａ内に臨むようにしてある。
【００１６】
前記アーム１２を実線で示す規制解放姿勢に回動すると、長溝１４の他の部分１４ｂがガイド部２２、鍔部２３（アーム受け）よりも面内方向にずれた位置となるので、一方のドア体２を開くとアーム部材１０がガイド部２２、鍔部２３から離れて一方のドア体２を全開できる。
前記アーム１２を図３に仮想線で示す規制姿勢に回動すると、長溝１４の他の部分１４ｂがガイド部２２と面内方向にほぼ同一位置となるので、一方のドア体２を開くと長溝１４の他の部分１４ｂがガイド部２２に沿って摺動し、その長溝１４の先端内面がガイド部２２に当接して一方のドア２の開きを規制する。前述の開きを規制している状態で前記鍔部２３が溝１４を挿通してアーム１２の一側面１２ａと対向するので、アーム１２を規制解除姿勢に向けて回動するとアーム１２の一側面１２ａが鍔部２３に干渉し、アーム１２を規制解除姿勢に回動できない。
【００１７】
前述の動作がドアガード５の主な機能であるが、本発明のドアガード５は、２つのドア体２，３が閉じ位置から全開位置に向けてある程度回動してある程度開いた閉じ状態から開き状態への初期段階において、アーム部材１０とアーム受け部材２０が相互に係合（引っかかり合う）して面内方向に外れないようにする外れ止め機能をも有している。
そして、前述のようにアーム部材１０とアーム受け部材２０が相互に係合することで、２つのドア体２，３が前述の初期段階以上開き方向に回動できないから、２つのドア体２，３を故意に全開することをドアガード５によって防止できる。
【００１８】
前述の外れ止め機能を有するドアガード５について説明する。
前記アーム１０の取付部１１は、外れ止め部１５を有し、２つのドア体２，３を閉じた状態で、前記鍔部２３が外れ止め部１５よりも一方のドア体２寄り（面内方向一方側）に位置し、かつ鍔部２３と外れ止め部１５が開閉方向（面外方向）にオーバーラップするようにしてある。
例えば、外れ止め部１５の面内方向一側面（他方のドア体３と反対側の面）１５ａと、鍔部２３のガイド部２２よりも突出した面内方向他側面（他方のドア体３側の面）２３ａが面外方向にオーバーラップ（重なり合う）する。
【００１９】
これにより、２つのドア体２，３がある程度開いた前述の閉じ状態から開き状態への初期段階において図６に示すように、鍔部２３（面内方向他側面２３ａ）と外れ止め部１５（面内方向一側面１５ａ）が相互に係合（引っかかり合う）し、アーム部材１０（取付部１１）とアーム受け部材２０（鍔部２３）が面内方向に外れないようになる。
したがって、２つのドア体２，３が図６に矢印で示すように前述した初期段階以上開き方向に回動できないので、２つのドア体２，３を故意に全開できない。
【００２０】
例えば、アーム１２が規制姿勢の時に、室外の人が一方のドア体２を規制された開き位置まで開き、一方のドア体２と他方のドア体３との隙間から手を入れて固定錠４を解錠し、２つのドア体２，３を開いた時に、取付部１１に外れ止め部１５が無い場合にはアーム部材１０とアーム受け部材２０は面内方向に独立して動くことが可能であるから、２つのドア体２，３を故意に全開できるが、前述のように鍔部２３が外れ止め部１５に係合することで２つのドア体２，３が前述した初期段階以上開き方向に回動できなくなるので、前述のように２つのドア体２，３を故意に全開できない。
【００２１】
前述の外れ止め部１５は取付部１１に設けたが、アーム１２に設けても良い。つまり、外れ止め部１５はアーム部材１０に設ければ良い。
また、鍔部２３を外れ止め部１５に係合するようにしたが、この外れ止め部１５と係合する部分をガイド部２２又は取付部２１に設けても良い。つまり、アーム受け部材２０の一部分が外れ止め部１５に係合するようにすれば良い。
【００２２】
また、アーム部材１０を固定錠４を備えたドア体３に取付け、アーム受け部材２０を通常時に開閉するドア体２に取付けるようにしても良い。
【００２３】
この実施の形態では、取付部１１に外れ止め部品３０を取付け、その外れ止め部品３０に外れ止め部１５を設けてある。
このようにすることで、既存のアーム部材を利用してドアガード５とすることができるし、ドア体に取付けてある既存のドアガード５を外れ止め機能を有するドアガードに改良することが可能である。
【００２４】
次に、各部材を具体的に説明する。
前記アーム部材１０の取付部１１は、基板１１ａと一対のブラケット１１ｂを備え、その基板１１ａの一対のブラケット１１ｂ間に補助取付用孔１６を有すると共に、基板１１ａのブラケット１１ｂよりも上下寄りに主取付用孔１７を有している。
前記アーム１２は一側片１２ｂと他側片１２ｃと連結片１２ｄでほぼ長Ｕ字形状で、一側片１２ｂ、他側片１２ｃの基端側部分が前記一対のブラケット１１ｂにピン１８で回動自在に連結してある。
【００２５】
前記外れ止め部品３０は、ほぼＬ字形状の取付片３１と、この取付片３１の一側片３１ａに一体に設けた上下突出片３２，３３と、前記一側片３１ａにおける、この上下突出片３２，３３間に一体的に設けた突部３４を有し、その突部３４の一端面３４ａが鍔２３と対向し、突部３４が前述の外れ止め部１５である。
前記突部３４と一側片３１ａとに亘って取付孔３５が形成してある。
前記上下突出片３２，３３の突出端部に爪片３６がそれぞれ設けてある。
そして、取付片３１の他側片３１ｂを基板１１ａの側面に接し、一側片３１ａを基板１１ａの表面に接して取付孔３５と補助取付用孔１６を合致させ、固着具３７を取付孔３５、補助取付用孔１６から一方のドア体２に固着して取付部１１と外れ止め部品３０が取付けられる。
【００２６】
前記外れ止め部品３０の上下突出片３２，３３が取付部１１の一対のブラケット１１ｂ間に位置し、その上下突出片３２，３３間に前記ガイド部２２と鍔部２３が入り込んで、鍔部２３が突部３４の一端面３４ａと対向する。
【００２７】
前記上下突片３２，３３が有している爪片３６は、アーム１２の一側片１２ｂ、他側片１２ｃの内側面よりも若干突出していると共に、その内側面と干渉する面は斜面としてある。
そして、アーム１２が規制解除姿勢の時にはアーム１２の一側片１２ｂ、他側片１２ｃは爪体３６と離隔している。
前記アーム１２を規制姿勢に向けて回動すると、一側片１２ｂ、他側片１２ｃが爪片３６に干渉してアーム１２の回動抵抗が大となる。
これによって、アーム１２を規制姿勢に回動したことを操作者が感知できる。
【図面の簡単な説明】
【００２８】
【図１】本発明の実施の形態を示す両開きドアの内観図である。
【図２】ドアガード取付部分の拡大正面図である。
【図３】ドアガード取付部分の拡大平面図である。
【図４】図２のＡ−Ａ断面図である。
【図５】アーム部材の斜視図である。
【図６】全開防止の動作説明図である。
【符号の説明】
【００２９】
１…枠体、２…一方のドア体、３…他方のドア体、５…ドアガード、１０…アーム部材、１１…取付部、１２…アーム、１４…長溝、１４ａ…基端部分、１４ｂ…他の部分、１５…外れ止め部、２０…アーム受け部材、２１…取付部、２２…ガイド部、２３…鍔部、３０…外れ止め部品。
【図１】
2009221694.tif 000003
【図２】
2009221694.tif 000004
【図３】
2009221694.tif 000005
【図４】
2009221694.tif 000006
【図５】
2009221694.tif 000007
【図６】
2009221694.tif 000008